(57)【要約】この発明は、液化天然ガス（ＬＮＧ）、都市ガスおよびＬＰガスなどの燃料ガス、あるいはメタンガス、プロパンガス、ブタンガスおよび水素ガスなど燃料ガスに好適に用いられる燃料ガス用付臭剤を提供するものである。特に好適には、この発明は、水素ガスを含む燃料電池用燃料ガスにも好適に使用することができる、新規な燃料ガス用付臭剤を提供することにある。この発明の燃料ガス用付臭剤は、認知閾値が１ｐｐｂ以下であり、かつ分子内に硫黄原子および窒素原子を含まない化合物を含有することを特徴とする燃料ガス用付臭剤であり、水素ガス等を燃料とする燃料電池に有利に使用される付臭剤である。【特許請求の範囲】
【請求項１】
認知閾値が１ｐｐｂ以下であり、かつ分子内に硫黄原子および窒素原子を含まない化合物を含有することを特徴とする燃料ガス用付臭剤。
【請求項２】
ネロール、３−フェニル−１−プロパノール、リナロール、ゲオスミン、トランス−２，トランス−４−デカジエナール、トランス−２，トランス−４−ヘキサジエナール、トランス−２，トランス−４−オクタジエナール、トランス−２，トランス−４−ノナジエナール、エチルバニリン、シス−３−ヘキセナール、トランス−４−ヘキセナール、トランス−２，シス−６−ノナジエナール、４，５−エポキシ−２−ドデセナール、１−メトキシナフタレン、２−メトキシナフタレン、１−エトキシナフタレン、イソ吉草酸プロピル、イソ吉草酸イソペンチル、ドデカン酸メチル、ドデカン酸エチル、ウンデカン酸エチル、ヘプチンカルボン酸メチル、炭酸ジ−（２−メトキシフェニル）、酪酸、イソ吉草酸、２−メチルプロピオン酸、３−メチル−ノナン−２，４−ジオン、１−ノネン−３−オン、３−ヒドロキシ−４，５−ジメチル−２（５Ｈ）−フラノン、３−ヒドロキシ−４，５−ジエチル−２（５Ｈ）−フラノン、３−ヒドロキシ−４−メチル−５−エチル−２（５Ｈ）−フラノン、３−ヒドロキシ−４−エチル−５−メチル−２（５Ｈ）−フラノン、３−ヒドロキシ−４−メチル−５−ブチル−２（５Ｈ）−フラノン、３−ヒドロキシ−４−メチル−５−イソブチル−２（５Ｈ）−フラノン、３−ヒドロキシ−４−メチル−５−プロピル−２（５Ｈ）−フラノン、２，５−ジメチル−４−メトキシ−３（２Ｈ）−フラノン、α−イオノン、β−イオノン、（Ｅ）−β−ダマセノン、トランス−２−ノネン−４−オン、フラネオール、１−（２，２，６−トリメチルシクロヘキシル）−２−ブテン−オン、ｐ−クレゾール、３，５−ジメチルフェノール、３−エチルフェノール、１−ナフトール、３，６−ジメチル−３ａ，４，５，７ａ−テトラヒドロ−２（３Ｈ）−ベンゾフラノン、γ−ノナラクトン、γ−ウンデカラクトン、（Ｚ）−６−ドデセノ−γ−ラクトン、クマリン、ｏ−サイメンおよびシス−ローズオキサイドから選ばれた少なくとも１つの化合物を含有することを特徴とする燃料ガス用付臭剤。
【請求項３】
ゲオスミン、トランス−２，トランス−４−デカジエナール、トランス−２，トランス−４−ヘキサジエナール、トランス−２，トランス−４−ノナジエナール、エチルバニリン、トランス−２，シス−６−ノナジエナール、イソ吉草酸プロピル、イソ吉草酸イソペンチル、イソ吉草酸、２−メチルプロピオン酸、１−ノネン−３−オン、３−ヒドロキシ−４，５−ジメチル−２（５Ｈ）−フラノン、３−ヒドロキシ−４，５−ジエチル−２（５Ｈ）−フラノン、３−ヒドロキシ−４−メチル−５−エチル−２（５Ｈ）−フラノン、３−ヒドロキシ−４−エチル−５−メチル−２（５Ｈ）−フラノン、３−ヒドロキシ−４−メチル−５−ブチル−２（５Ｈ）−フラノン、３−ヒドロキシ−４−メチル−５−イソブチル−２（５Ｈ）−フラノン、３−ヒドロキシ−４−メチル−５−プロピル−２（５Ｈ）−フラノン、２，５−ジメチル−４−メトキシ−３（２Ｈ）−フラノン、α−イオノン、β−イオノン、（Ｅ）−β−ダマセノン、フラネオール、ｐ−クレゾール、３，６−ジメチル−３ａ，４，５，７ａ−テトラヒドロ−２（３Ｈ）−ベンゾフラノン、γ−ノナラクトン、γ−ウンデカラクトンから選ばれた少なくとも１つの化合物を含有することを特徴とする燃料ガス付臭剤。
【請求項４】
トランス−２，トランス−４−デカジエナール、トランス−２，トランス−４−ノナジエナール、トランス−２，シス−６−ノナジエナール、イソ吉草酸、２−メチルプロピオン酸、３−ヒドロキシ−４，５−ジメチル−２（５Ｈ）−フラノン、３−ヒドロキシ−４−エチル−５−メチル−２（５Ｈ）−フラノンから選ばれた少なくとも１つの化合物を含有することを特徴とする燃料ガス付臭剤。
【請求項５】
燃料ガスが水素であることを特徴とする請求項１〜４のいずれかに記載の燃料ガス用付臭剤。
【請求項６】
燃料電池用の燃料ガスに用いられる請求項１〜５のいずれかに記載の燃料ガス付臭剤。
【発明の詳細な説明】
技術分野
本発明は、液化天然ガス（ＬＮＧ）、都市ガスおよびＬＰガスなどの燃料ガス用付臭剤に関するものである。
背景技術
従来、燃料ガスによる中毒、引火あるいは爆発などの災害を防止するため、燃料ガスが漏洩した場合に嗅覚に訴えて迅速且つ容易に検知できるように、液化天然ガス（ＬＮＧ）、都市ガスおよびＬＰガスなどの燃料ガスに対して燃料ガス用付臭剤が添加されている。
従来、これらの燃料ガスに用いられている付臭剤として含硫化合物が知られているが、一般に含硫化合物は燃焼後に二酸化硫黄が発生すること、また、最近開発が進められている燃料電池にあっては、触媒の活性が低下するため付臭剤成分を除去するための脱硫器を必要とすることなどの点で問題がある。また、非硫黄系の付臭剤についても、これまで種々の物質が知られている。例えば、吉草酸とアクリル酸エチルとの混合物（下記特許文献１参照。）、シクロヘキセン（下記特許文献２参照。）、５−エチリデン−２−ノルボルネンを必須成分とする付臭剤（下記特許文献３参照。）、非硫黄系成分として２−メトキシ−３−イソ−ブチルピラジンを含みこれとメルカプタンやサルファイドを組み合わせた付臭剤（下記特許文献４参照。）、およびピラジン（下記特許文献５参照。）が知られている。
しかしながら、これらの付臭剤においては、例えば、アクリル酸エステル系の付臭剤は化学的に不安定なこと、シクロヘキセンやエチリデンノルボルネンについては添加量がメルカプタン系と比較すると多いなどの問題がある。
また、硫黄分を含まずしかも付臭剤としての優れた臭気特性をもつ燃料ガス付臭剤として、５−エチリデン−２−ノルボルネンと２−アルコキシ−３−アルキルピラジンが提案されている（下記特許文献６参照）。しかしながら、前者の５−エチリデン−２−ノルボルネンは、本発明でいうところの認知閾値が大きく（約４ｐｐｂ）、また、後者の２−アルコキシ−３−アルキルピラジンは分子内に窒素原子を含んでいる。
これに対して、最近は燃料電池の開発が進んだこともあり、燃料ガスとしてメタンガス、プロパンガス、ブタンガス、ＬＮＧおよび水素ガスなど燃料ガスの種類も増加する傾向にあり、且つ用途もさらに拡大し始めている。そのため、新規な燃料ガス用付臭剤、特に非硫黄系の新しい燃料ガス用付臭剤が求められている。
（特許文献１）
日本特開昭４８−７９８０４号公報
（特許文献２）
日本特開昭５４−５８７０１号公報
（特許文献３）
日本特開昭５５−５６１９０号公報
（特許文献４）
日本特開昭６０−９２３９６号公報
（特許文献５）
日本特開昭５５−５９１９０号公報
（特許文献６）
日本特開平８−６０１６７号公報
発明の開示
そこで本発明の目的は、上記の課題に対応できる新規な燃料ガス用付臭剤を提供することにある。
本発明者らは、硫黄分および窒素分を全く含まずしかも付臭剤としての優れた臭気特性を持つ付臭剤を開発することを目的として鋭意検討した結果、これらの化合物の中でも、特に認知閾値が１ｐｐｂ以下の化合物であれば、上述の燃料ガス用付臭剤としての機能を十分に発揮し得ることを見いだし、本発明に到達した。即ち、本発明の燃料ガス用付臭剤は、分子内に硫黄原子および窒素原子を含まない化合物であり、かつ認知閾値が１ｐｐｂ以下である化合物を含有するものである。本発明の燃料ガス用付臭剤として好適な化合物は、以下の説明から明らかにされる。
また、燃料ガス用付臭剤は、水素ガス等の燃料ガスに適用可能であるため、硫黄化合物が含まれない燃料を使用する燃料電池用の燃料ガスに好適に使用される。
発明を実施するための最良の形態
本発明の燃料ガス用付臭剤は、使用される化合物が分子内に窒素を含まないものであり、これによりＮＯｘの排出量を抑えることができる。また、本発明の燃料ガス用付臭剤は、分子内に硫黄原子を含まないためＳＯｘを排出することなく、さらに燃料電池用触媒に対し触媒毒となることがないため、燃料電池用燃料に好適に使用できる。
本発明の燃料ガス用付臭剤は、例えば、燃料電池において硫黄化合物が含まれない燃料を使用する場合に脱硫装置を全く必要としないため、これを省略して装置を小型化しても触媒の寿命を縮めることがなく、これらの用途に特に好適に使用される。
燃料ガス用付臭剤の具備すべき物性および機能等の望ましい特性として、次の事項を挙げることができる。
（ａ）認知閾値が低いこと。
（ｂ）できれば生活臭と区別ができること。そして、好ましくは警戒臭として機能すること。
（ｃ）低沸点（特に、水素ガスに使用する場合に問題になる可能性がある）であること。
（ｄ）低腐食性であること。
（ｅ）嗅覚疲労を起こし難いこと。
（ｆ）毒性が極めて少ないこと。
上記の要求特性において、本発明の燃料ガス用付臭剤に含有される化合物は、認知閾値が１ｐｐｂ以下の化合物であることが重要であり、好ましくは、認知閾値が０．１ｐｐｂ以下の化合物である。認知閾値が１ｐｐｂを超えると、例えば、その化合物を水素ガスに使用する場合、大気中に放出されたときの認知濃度を確保するために、ガスの質量当たりの添加量が非常に高くなり、ボンベ中で燃料ガス成分と分離しやすくなるなどのため好ましくない。
本発明における付臭剤の認知閾値とは、空気中の容量比（ｖｏｌ．／ｖｏｌ．）で何のにおいか分かる、楽ににおいを感じる下限の濃度である。この数値は、例えば、無臭室に被験物質の大気中の濃度が一定になるまでかきまぜ静置した後に、数名のパネラーが入室して臭気強度を中央公害対策審議会の答申による悪臭公害の６段階臭気強度表示法等で評価することによって測定することができる。
認知閾値の具体的な測定方法を例示すると、無臭室に付臭剤をシャーレなどに入れて一定時間放置し、次いで無臭室内の空気を一様になるまで十分に撹拌した後、１分間静置してからパネラーが入室し６段階臭気強度表示法で評価する。これを付臭剤の濃度を変えて行い、下記の６段階臭気強度表示法の「２」にあたる何のにおいか分かる、楽に感じるにおいとなる付臭剤濃度を求めることで、付臭剤の認知閾値を得ることができる。
「６段階臭気強度表示法」
０：無臭
１：何のにおいか分からないが、やっとかすかに感じるにおい
２：何のにおいか分かる、楽に感じるにおい
３：明らかに感じるにおい
４：強いにおい
５：耐えられないほど強いにおい
また、本発明の燃料ガス用付臭剤は、できれば生活臭と区別ができることが好ましく、そして、特に警戒臭として機能することが望ましい。ここで、生活臭は、通常の生活空間で日常的に感じられる匂いであり、日常生活で異質もしくは異常なものとして認識されない臭いの意味で用いられる。また、警戒臭は、一般的には不快な匂いで、通常とは異なる状況を示すものとして認識され、上記の生活臭と明確に区別できる匂いであり、危険を示す信号として利用され得る臭いの意味で用いられる。
また、本発明の燃料ガス用付臭剤は、低腐食性であることが好ましい。燃料ガス中の付臭剤使用量は、非常に少ないものであるが、ボンベ、配管あるいはバルブ等に用いられている金属やパッキン等の樹脂に対する腐食性は、その影響が蓄積するものであるため、極力小さいことが望まれる。
本発明の燃料ガス用付臭剤として好適な化合物としては、ネロール、３−フェニル−１−プロパノール、リナロールおよびゲオスミンなどのアルコール類、トランス−２，トランス−４−デカジエナール、トランス−２，トランス−４−ヘキサジエナール、トランス−２，トランス−４−オクタジエナール、トランス−２，トランス−４−ノナジエナール、エチルバニリン、シス−３−ヘキセナール、トランス−４−ヘキセナール、トランス−２，シス−６−ノナジエナールおよび４，５−エポキシ−２−ドデセナールなどのアルデヒド類、１−メトキシナフタレン、２−メトキシナフタレンおよび１−エトキシナフタレンなどのエーテル類、イソ吉草酸プロピル、イソ吉草酸イソペンチル、ドデカン酸メチル、ドデカン酸エチル、ウンデカン酸エチル、ヘプチンカルボン酸メチルおよび炭酸ジ−（２−メトキシフェニル）などのエステル類、酪酸、イソ吉草酸および２−メチルプロピオン酸などの脂肪酸類、３−メチル−ノナン−２，４−ジオン、１−ノネン−３−オン、３−ヒドロキシ−４，５−ジメチル−２（５Ｈ）−フラノン、３−ヒドロキシ−４，５−ジエチル−２（５Ｈ）−フラノン、３−ヒドロキシ−４−メチル−５−エチル−２（５Ｈ）−フラノン、３−ヒドロキシ−４−エチル−５−メチル−２（５Ｈ）−フラノン、３−ヒドロキシ−４−メチル−５−ブチル−２（５Ｈ）−フラノン、３−ヒドロキシ−４−メチル−５−イソブチル−２（５Ｈ）−フラノン、３−ヒドロキシ−４−メチル−５−プロピル−２（５Ｈ）−フラノン、２，５−ジメチル−４−メトキシ−３（２Ｈ）−フラノン、α−イオノン、β−イオノン、（Ｅ）−β−ダマセノン、トランス−２−ノネン−４−オン、フラネオールおよび１−（２，２，６−トリメチルシクロヘキシル）−２−ブテン−オンなどのケトン類、ｐ−クレゾール、３，５−ジメチルフェノール、３−エチルフェノールおよび１−ナフトールなどのフェノール類、３，６−ジメチル−３ａ，４，５，７ａ−テトラヒドロ−２（３Ｈ）−ベンゾフラノン、γ−ノナラクトン、γ−ウンデカラクトン、（Ｚ）−６−ドデセノ−γ−ラクトン、クマリンなどのラクトン類、ｏ−サイメンなどの炭化水素類、およびシス−ローズオキサイドなどのピラン類から選ばれた化合物等が挙げられる。これらの化合物の認知閾値は、前記測定方法により測定すると、いずれも１ｐｐｂ以下になる。
上記の化合物のうちでも、本発明の燃料ガス用付臭剤としてより好適な化合物としては、アルコール類として、ゲオスミンを使用することができる。また、アルデヒド類として、トランス−２，トランス−４−アカジエナール、トランス−２，トランス−４−ヘキサジエナール、トランス−２，トランス−４−ノナジエナール、エチルバニリン、トランス−２，シス−６−ノナジエナールから選択される少なくとも１つの化合物を使用することができる。また、エステル類として、イソ吉草酸プロピル、イソ吉草酸イソペンチルから選択される少なくとも１つの化合物を使用することができる。また、脂肪酸類として、イソ吉草酸、２−メチルプロピオン酸から選択される少なくとも１つの化合物を使用することができる。また、ケトン類として、１−ノネン−３−オン、３−ヒドロキシ−４，５−ジメチル−２（５Ｈ）−フラノン、３−ヒドロキシ−４，５−ジエチル−２（５Ｈ）−フラノン、３−ヒドロキシ−４−メチル−５−エチル−２（５Ｈ）−フラノン、３−ヒドロキシ−４−エチル−５−メチル−２（５Ｈ）−フラノン、３−ヒドロキシ−４−メチル−５−ブチル−２（５Ｈ）−フラノン、３−ヒドロキシ−４−メチル−５−イソブチル−２（５Ｈ）−フラノン、３−ヒドロキシ−４−メチル−５−プロピル−２（５Ｈ）−フラノン、２，５−ジメチル−４−メトキシ−３（２Ｈ）−フラノン、α−イオノン、β−イオノン、（Ｅ）−β−ダマセノン、フラネオールから選択される少なくとも１つの化合物を使用することができる。また、フェノール類として、ｐ−クレゾールを使用することができる。また、ラクトン類として、３，６−ジメチル−３ａ，４，５，７ａ−テトラヒドロ−２（３Ｈ）−ベンゾフラノン、γ−ノナラクトンおよびγ−ウンデカラクトンから選択される少なくとも１つの化合物を使用することができる。
また、上記の化合物のうちでも、本発明の燃料ガス用付臭剤として特に好適な化合物としては、アルデヒド類として、トランス−２，トランス−４−デカジエナール、トランス−２，トランス−４−ノナジエナール、トランス−２，シス−６−ノナジエナールから選択される少なくとも１つの化合物を使用することができる。また、脂肪酸類として、イソ吉草酸、２−メチルプロピオン酸から選択される少なくとも１つの化合物を使用することができる。また、ケトン類として、３−ヒドロキシ−４，５−ジメチル−２（５Ｈ）−フラノンおよび３−ヒドロキシ−４−エチル−５−メチル−２（５Ｈ）−フラノンから選択される少なくとも１つの化合物を使用することができる。これらの選ばれた化合物は、認知閾値が小さいことに加えて、容易に入手することができ、また取り扱い上危険性がない。
本発明では、これら化合物を単独で使用してもよく、また、これらの化合物の複数を任意の割合で混合して使用することもできる。
本発明の燃料ガス用付臭剤を燃料ガスに添加する方法としては、付臭装置などを用いて公知の方法で行うことができる。
本発明の燃料ガス用付臭剤は、液化天然ガス（ＬＮＧ）、都市ガスおよびＬＰガスなどの燃料ガス、あるいはメタンガス、プロパンガス、ブタンガスおよび水素ガスなど燃料ガスに好適である。特に、本発明の燃料ガス用付臭剤は、分子内に硫黄原子および窒素原子を含まない化合物を含有するために、さらに燃料電池用触媒に対し触媒毒となることがないために、水素等の燃料電池用燃料に好適に使用することができる。
実施例
本発明における燃料ガス用付臭剤と材質腐食試験の評価方法は、次のとおりである。
（燃料ガス用付臭剤の評価方法）
８ｍ３の無臭室に被験物質の大気中の濃度が千分の一になるように被験物質を放出し、その濃度が一定になるまでかきまぜた後、一定時間静置してから入室して臭気強度の評価を行なう。臭気強度の判定は６人の熟練したパネルを用い前述の６段階臭気強度表示法により測定し平均値を測定値とする。
（材質腐食試験の評価方法）
ＪＩＳＫ２２３４（不凍液によるラジエターの腐食試験法）に準じ、以下の要領で実験を行なう。
１）白金板をノギスで縦・横・高さを各３回、３ヶ所測定しその平均を代表長さとする。
２）上記１）の白金板を洗剤とメタノールで洗い、５０℃の乾燥機で２時間乾燥する。その後、デシケーター中で放冷する。
３）上記１）の白金板を精密天秤で、０．０００１ｇまで秤量する。
４）上記１）の白金板を試料に浸漬する。
５）４０日後、上記４）の白金板を取り出し、洗浄（洗剤とメタノール）し、測定（秤量）する。
（実施例１）
トランス−２−，トランス−４−デカジエナール（認知閾値：８７．０ｐｐｔ）２０μｇを小型ボンベ（ＬＰＧ，Ｗ３．３）に注入し、続いてその小型ボンベにプロパンガス２９．３４ｇを注入する。このときのガス中の付臭剤濃度は約０．８６ｐｐｍである。この小型ボンベの内容物を３０秒間振り混ぜた後に、その内容物の半量を８ｍ３の室内に放出して、室内のガス濃度を１，０００分の１とする。その後、室内の空気を３分間ファンで撹拌してから１分間放置し、パネラー６名で「６段階臭気強度表示法による評価」を行なうと、平均値は２．７５となり、全員が十分に警告臭としての機能を有するものである。
（実施例２）
トランス−２−，トランス−４−デカジエナール（認知閾値：８７．０ｐｐｔ）２０．０μｇを小型ボンベ（ＬＰＧ，Ｗ３．３）に注入し、続いてその小型ボンベに水素ガスを１．３３ｇ注入する。このときのガス中の付臭剤濃度は約１５．０４ｐｐｍである。この小型ボンベの内容物を３０秒間振り混ぜた後に、その内容物の半量を８ｍ３の室内に放出して、室内のガス濃度を１，０００分の１とする。その後、室内の空気を３分間ファンで撹拌してから１分間放置し、パネラー６名で「６段階臭気強度表示法による評価」を行なうと、平均値は２．７５となり、全員が十分に警告臭としての機能を有するものである。
（実施例３）
３−ヒドロキシ−４−メチル−５−エチル−２（５Ｈ）−フラノン（認知閾値：１．５ｐｐｔ）０．２５μｇを小型ボンベ（ＬＰＧ，Ｗ３．３）に注入し、続いてその小型ボンベにプロパンガス２９．３４ｇを注入する。このときのガス中の付臭剤濃度は約０．０１ｐｐｍである。この小型ボンベの内容物を３０秒間振り混ぜた後に、その内容物の半量を８ｍ３の室内に放出して、室内のガス濃度を１，０００分の１とする。その後、室内の空気を３分間ファンで撹拌してから１分間放置し、パネラー６名で「６段階臭気強度表示法による評価」を行なうと、平均値は２．６６となり、全員が十分に警告臭としての機能を有するものである。
（実施例４）
３−ヒドロキシ−４−メチル−５−エチル−２（５Ｈ）−フラノン（認知閾値：１．５ｐｐｔ）０．２５μｇを小型ボンベ（ＬＰＧ，Ｗ３．３）に注入し、続いてその小型ボンベに水素ガス１．３３ｇを注入する。このときのガス中の付臭剤濃度は約０．１９ｐｐｍである。この小型ボンベの内容物を３０秒間振り混ぜた後に、その内容物の半量を８ｍ３の室内に放出して、室内のガス濃度を１，０００分の１とする。その後、室内の空気を３分間ファンで撹拌してから１分間放置し、パネラー６名で６段階臭気強度表示法による評価を行なうと、平均値は２．６６となり、全員が十分に警告臭としての機能を有するものである。
（実施例５）
トランス−２−，トランス−４−デカジエナールを２０μｇと、３−ヒドロキシ−４−メチル−５−エチル−２（５Ｈ）−フラノン０．２５μｇとを小型ボンベ（ＬＰＧ，Ｗ３．３）に注入し（この場合の認知閾値は７．４ｐｐｔ）、続いてその小型ボンベにプロパンガス２９．３４ｇを注入する。このときのガス中の付臭剤濃度は約０．６９ｐｐｍである。この小型ボンベの内容物を３０秒間振り混ぜた後に、その内容物の半量を８ｍ３の室内に放出して、室内のガス濃度を１，０００分の１とする。その後、室内の空気を３分間ファンで撹拌してから１分間放置し、パネラー６名で６段階臭気強度表示法による評価を行なうと、平均値は３．２となり、全員が十分に警告臭としての機能を有するものである。
（実施例６）
イソ吉草酸（認知閾値：４７．３ｐｐｔ）５．４μｇを小型ボンベ（ＬＰＧ，Ｗ３．３）に注入し、続いてその小型ボンベに水素ガスを１．３３ｇ注入する。このときのガス中の付臭剤濃度は約３．７６ｐｐｍである。この小型ボンベの内容物を３０秒間振り混ぜた後に、その内容物の半量を８ｍ３の室内に放出して、室内のガス濃度を１，０００分の１とする。その後、室内の空気を３分間ファンで撹拌してから１分間放置し、パネラー６名で６段階臭気強度表示法による評価を行なうと、平均値は２．４０となり、全員が十分に警告臭としての機能を有するものである。
（実施例７）
γ−ウンデカラクトン（認知閾値：２２．８ｐｐｔ）５．０μｇを小型ボンベ（ＬＰＧ，Ｗ３．３）に注入し、続いてその小型ボンベに水素ガスを１．３３ｇ注入する。このときのガス中の付臭剤濃度は約３．７６ｐｐｍである。この小型ボンベの内容物を３０秒間振り混ぜた後に、その内容物の半量を８ｍ３の室内に放出して、室内のガス濃度を１，０００分の１とする。その後、室内の空気を３分間ファンで撹拌してから１分間放置し、パネラー６名で６段階臭気強度表示法による評価を行なうと、平均値は２．４０となり、全員が十分に警告臭としての機能を有するものである。
（実施例８）
ｐ−クレゾール（認知閾値：５１．３ｐｐｔ）７．５０μｇを小型ボンベ（ＬＰＧ，Ｗ３．３）に注入し、続いてその小型ボンベに水素ガスを１．３３ｇ注入する。このときのガス中の付臭剤濃度は約５．６４ｐｐｍである。この小型ボンベの内容物を３０秒間振り混ぜた後に、その内容物の半量を８ｍ３の室内に放出して、室内のガス濃度を１，０００分の１とする。その後、室内の空気を３分間ファンで撹拌してから１分間放置し、パネラー６名で６段階臭気強度表示法による評価を行なうと、平均値は２．２４となり、全員が十分に警告臭としての機能を有するものである。
（実施例９）
表面積が約８ｃｍ２、重量が約１．５ｇ〜１．７ｇの表１に記載の大きさの白金板を用意し、これらの白金板を表１に記載の試料に浸漬したまま、常温（平均温度：２９．９℃）で４０日間放置して、材質腐食試験を行った。対照品（比較例）として、エタンチオールを用いた。
2003044135.tif 000002
その結果、表１に示したように  ４０日間、各試料に浸漬した前後の白金板の重量差を秤量した結果、腐食物質対照品として用いたエタンチオールは、０．０００４ｇ減量したのに対して、ブランク（無処理）、３−ヒドロキシ−４，５−ジメチル−２（５Ｈ）−フラノンおよびイソ吉草酸については、重量変化は認められなかった。
この結果、一般に燃料電池用触媒に使用される白金板には、３−ヒドロキシ−４，５−ジメチル−２（５Ｈ）−フラノンとイソ吉草酸は、腐食性がなく、触媒毒となることがなく燃料電池用燃料に好適に使用できるものと判断した。
産業上の利用可能性
本発明の燃料ガス用付臭剤は、使用される化合物が分子中に窒素を含まないものであり、これによりＮＯｘの排出量を押さえることができる。また、本発明の燃料ガス用付臭剤は、分子中に硫黄原子を含まないため、ＳＯｘを排出せず、さらに燃料電池用触媒に対し触媒毒となることがないので、特に水素ガス等の燃料電池用燃料に好適に使用することができる。
【国際調査報告】
2003044135.tif 000003
2003044135.tif 000004
2003044135.tif 000005
2003044135.tif 000006